(57)【要約】【課題】コストアップおよび電子機器の大型化を招くことなく、接続線を所定位置に配策するとともに第１筐体と第２筐体との衝突による損傷を防止できる電子機器を提供する。【解決手段】第１筐体２０と第２筐体４０は、第１筐体２０の幅方向に沿って配置された第１回動軸５１と、第１回動軸５１に対して直交する第２回動軸５２を有するヒンジ部５０により、開閉可能且つ回動可能に接続される。第１筐体２０におけるヒンジ部５０側の角部には緩衝部材６０が設けられており、緩衝部材６０は接続線３２の折り返し部３２２に接触可能となっているので、接続線３２の変形を制限して所定位置に配策することができる。従って、第１筐体２０を、第２回動軸５２を中心として第２筐体４０に対して回動させる際に、同じ緩衝部材６０により、第１筐体２０の角部が第２筐体４０を傷つけるのと接続線３２の変形規制をするので、部品点数を減少させることができる。【選択図】図６
2011259080.tif 000002
【特許請求の範囲】
【請求項１】
第１筐体と、
第２筐体と、
前記第１筐体および前記第２筐体を接続するヒンジ部と、
前記第１筐体における前記ヒンジ部側の角部にて折り返す接続線と、を備え、
前記ヒンジ部が、前記第２筐体に接続され、かつ、前記第２筐体の幅方向に沿って配置された第１回動軸と、前記第１筐体に接続され、かつ、前記第１回動軸に対して直交する第２回動軸と、を備え、
前記第１筐体における前記ヒンジ部側の角部に緩衝部材が設けられ、
前記緩衝部材が前記接続線の少なくとも一部に接触可能な電子機器。
【請求項２】
請求項１に記載の電子機器であって、
前記接続線が略帯状であるとともに、両端部が前記第１筐体の内側に固定され、かつ、前記接続線が前記第１筐体の幅方向に沿った線を折り返し軸線として折り返され、
前記緩衝部材が、前記折り返し軸線の径方向から前記折り返し部を囲む包囲部を有する電子機器。
【請求項３】
請求項１または請求項２に記載の電子機器であって、
前記緩衝部材が前記第２筐体に対して前記ヒンジ部側から取り付けられる電子機器。
【請求項４】
請求項３に記載の電子機器であって、
前記緩衝部材が、前記第１筐体に向かって突出するリブまたは爪を有し、
前記リブまたは爪が、前記第２回動軸側における前記第１筐体の厚み方向中央部から前記緩衝部材の取付方向に沿って設けられている電子機器。
【請求項５】
請求項１ないし請求項４のいずれか１項に記載の電子機器であって、
前記接続線は、グロメットによって前記第１筐体の内側に固定され、
前記緩衝部材は、前記グロメットに向かって突出するリブを有する電子機器。
【請求項６】
請求項１ないし請求項５のいずれか１項に記載の電子機器であって、
前記ヒンジ部における前記第１筐体の幅方向端部から前記第１筐体に向かう凸部を有し、前記第１筐体が前記凸部に対応する凹部を有する電子機器。
【発明の詳細な説明】
【技術分野】
【０００１】
本発明は、第１筐体と第２筐体とを、直交する２軸の回動軸を有するヒンジ部により開閉可能かつ回動可能に接続した電子機器に関するものである。
【背景技術】
【０００２】
従来、第１筐体と第２筐体とを、直交する２軸の回動軸を有するヒンジ部により開閉可能かつ回動可能に接続された電子機器においては、表示部側である第１筐体のヒンジ部に接続される側の端面の長手方向端部を覆うように、緩衝部材が配置されているものがある（例えば特許文献１参照）。
このような電子機器では、緩衝部材により、コストの増加および筐体の大型化を抑制しつつ、第１筐体と第２筐体との衝突による損傷を防ぎ、かつ閉状態における筐体先端部の重ね位置のずれを好適に防止する。
【先行技術文献】
【特許文献】
【０００３】
【特許文献１】特開２００９−１１１７２６号公報（第１図）
【発明の概要】
【発明が解決しようとする課題】
【０００４】
しかしながら、特許文献１に記載のような、２軸で開閉可能および回動可能な電子機器において、第１筐体において表面に設けられた表示部と、第１筐体内部の回路基板等を接続する接続線が、第１筐体とヒンジ部との境界領域を通って配策される場合がある。
このような電子機器においては、接続線を所定の位置に配策するために、接続線を所定位置に収容するための部品が別途必要となり、コストアップおよび電子機器の大型化を招くという問題があった。
【０００５】
本発明は、従来の問題を解決するためになされたもので、コストアップおよび電子機器の大型化を招くことなく、接続線を所定位置に配策するとともに第１筐体と第２筐体との衝突による損傷を防止できる電子機器を提供することを目的とする。
【課題を解決するための手段】
【０００６】
本発明の第１の態様に係る電子機器は、第１筐体と、第２筐体と、前記第１筐体および前記第２筐体を接続するヒンジ部と、前記第１筐体における前記ヒンジ部側の角部にて折り返す接続線と、を備え、前記ヒンジ部が、前記第２筐体に接続され、かつ、前記第２筐体の幅方向に沿って配置された第１回動軸と、前記第１筐体に接続され、かつ、前記第１回動軸に対して直交する第２回動軸と、を備え、前記第１筐体における前記ヒンジ部側の角部に緩衝部材が設けられ、前記緩衝部材が前記接続線の少なくとも一部に接触可能なものである。
【０００７】
また、本発明の第２の態様に係る電子機器は、前記接続線が略帯状であるとともに、両端部が前記第１筐体の内側に固定され、かつ、前記接続線が前記第１筐体の幅方向に沿った線を折り返し軸線として折り返され、前記緩衝部材が、前記折り返し軸線の径方向から前記折り返し部を囲む包囲部を有するものである。
【０００８】
また、本発明の第３の態様に係る電子機器は、前記緩衝部材が前記第２筐体に対して前記ヒンジ部側から取り付けられるものである。
【０００９】
また、本発明の第４の態様に係る電子機器は、前記緩衝部材が、前記第１筐体に向かって突出するリブまたは爪を有し、前記リブまたは爪が、前記第２回動軸側における前記第１筐体の厚み方向中央部から前記緩衝部材の取付方向に沿って設けられているものである。
【００１０】
また、本発明の第５の態様に係る電子機器は、前記接続線は、グロメットによって前記第１筐体の内側に固定され、前記緩衝部材は、前記グロメットに向かって突出するリブを有するものである。
【００１１】
さらに、本発明の第６の態様に係る電子機器は、前記ヒンジ部における前記第１筐体の幅方向端部から前記第１筐体に向かう凸部を有し、前記第１筐体が前記凸部に対応する凹部を有するものである。
【発明の効果】
【００１２】
本発明の第１の態様に係る電子機器によれば、第１筐体におけるヒンジ部側の角部には緩衝部材が設けられており、緩衝部材は接続線の少なくとも一部に接触可能となっているので、接続線が伸びようとする変形を制限して所定位置に配策することができる。また、同じ緩衝部材により、第１筐体を、第２回動軸を中心として第２筐体に対して回動させる際に、第１筐体の角部が第２筐体を傷つけるのを防止するとともに、接続線の変形を規制するので、部品点数を減少させることができるという効果を有する。
【００１３】
また、本発明の第２の態様に係る電子機器によれば、緩衝部材の包囲部が折り返し軸の径方向から折り返し部を囲むので、接続線の配策位置がずれるのを防止できる。
【００１４】
さらに、本発明の第３の態様に係る電子機器によれば、第１筐体に対してヒンジ部側から緩衝部材が取り付けられるので、接続線の配策位置がずれるのを防止できるとともに、接続線の挟み込みや傷つきを防止できる。
【００１５】
また、本発明の第４の態様に係る電子機器によれば、リブにより緩衝部材を位置決めして取り付けることができる。
【００１６】
また、本発明の第５の態様に係る電子機器によれば、緩衝部材に設けられたリブによって接続線の固定に用いられているグロメットの抜けを防止することができる。これにより、グロメットの抜け防止をする部品を別途用意する必要がなくなる。
【００１７】
さらに、本発明の第６の態様に係る電子機器によれば、ヒンジ部に凸部を有し、第１筐体に凹部を有するため、第１筐体のヒンジ部に対するがたつきを良好に防止できる。
【図面の簡単な説明】
【００１８】
【図１】本発明に係る実施形態の携帯端末を開いた状態の斜視図
【図２】本発明に係る実施形態の携帯端末を開いて回動させた状態の斜視図
【図３】（Ａ）は閉じた状態の携帯端末の平面図、（Ｂ）は上筐体とヒンジ部の境界部分の拡大平面図、（Ｃ）は上筐体とヒンジ部の境界部分の変形例を示す平面図
【図４】上筐体の外面側から見た分解斜視図
【図５】上筐体の内面側から見た分解斜視図
【図６】上筐体のＦＰＣの配策を示す断面図
【図７】上筐体のＦＰＣの配策を示す斜視図
【図８】緩衝部材の取付けを示す平面図
【図９】緩衝部材の取付けを示す分解斜視図
【図１０】緩衝部材とＦＰＣとの取付けを示す斜視図
【発明を実施するための形態】
【００１９】
以下、本発明の実施形態の電子機器について、図面を用いて説明する。
図１および図２に示すように、本発明に係る実施形態の電子機器としての携帯端末１０は、一方の面に表示部２１を有する第１筐体としての上筐体２０と、一方の面に多数のキー４２から構成される操作部４１を有する第２筐体としての下筐体４０と、上筐体２０および下筐体４０を開閉可能に連結するヒンジ部５０を有する。
なお、以下の説明において、上筐体２０と下筐体４０とを閉じたときに重なる面すなわち表示部２１および操作部４１をともに内面（内面側）といい、外側になる面を外面（外面側）ということとする。
【００２０】
ヒンジ部５０は、下筐体４０に接続され、かつ、下筐体４０の幅方向に沿って配置された第１回動軸５１と、上筐体２０に接続され、かつ、第１回動軸５１に対して直交する第２回動軸５２とを有する。
従って、第１回動軸５１回り（図１および図２において矢印Ａ方向）に上筐体２０と下筐体４０を相対的に回動させることにより、図１に示すように、開閉できる。また、第２回動軸５２回り（図１および図２において矢印Ｂ方向）に上筐体２０を回動させることにより、図２に示すように、上筐体２０をねじることができる。
【００２１】
図４および図５に示すように、上筐体２０は、矩形枠状の側部２２および側部２２の一端側（外面側）である平坦部２２８を密閉して覆う底部２３を有しており、側部２２における他端側（内面側）である平坦部２２１には表示部２１が取り付けられる。
従って、上筐体２０における底部２３と表示部２１との間には、内部空間２４が形成される。表示部２１は、内部空間２４に収容される液晶表示板２５を有し、液晶表示板２５の内面側に感圧式のタッチパネル２６が取り付けられる。
【００２２】
なお、上筐体２０におけるヒンジ部５０と反対側の側部２２（上辺側部２２４）の外側（先端側）には、通話時に耳に当てて音声を発するレシーバ３４が設けられており、レシーバカバー３４１で覆われている。また、上筐体２０におけるヒンジ部５０側の下辺側部２２２の外側には、アッパーカバー２２５が設けられている。
【００２３】
また、図３（Ａ）および図３（Ｂ）に示すように、ヒンジ部５０は、上筐体２０の幅方向端部から上筐体２０に向かう凸部５３を有する。また、上筐体２０は、ヒンジ部５０の凸部５３に対応する凹部２２６を有し、この凹部２２６に後述する緩衝部材６０が取り付けられる。すなわち、上筐体２０の側部２２は、ヒンジ部５０側の角部においてヒンジ部５０から遠ざかるように形成されている。
なお、上筐体２０の凹部２２６およびヒンジ部５０の凸部５３の形状は、図３（Ａ）および図３（Ｂ）に示すような円弧状に限らず、図３（Ｃ）に示すように、矩形状の凹部２２７および凸部５４でもよい。
【００２４】
図６に示すように、タッチパネル２６は、側部２２の他端側を覆う板状に形成され端面２６１Ａが側部２２よりも外側に位置する透明回路基板であるガラス基板２６１と、ガラス基板２６１の上（内面側）に積層される導電膜２６２およびカバー２６３を有する。ガラス基板２６１の外面側における外周縁部は、矩形枠状の両面テープ２７（図４参照）により、側部２２の内側に突出して額縁状に設けられている平坦部２２１（図５参照）に密着して取り付けられる。
従って、上筐体２０は、底部２３、側部２２、両面テープ２７およびタッチパネル２６、後述するグロメット３３、および、ヒンジ部に設けられたＯリング（図示せず）によって、内部空間２４の防水性を保持している。
【００２５】
図４および図６に示すように、上筐体２０の内部空間２４には、厚さ方向の中央にインサート板金２８が取り付けられており、剛性を確保して上筐体２０の薄型化を図っている。インサート板金２８の内面側面２８１には、液晶表示板２５を背後から照らすバックライトユニット２９を介して液晶表示板２５が設けられており、液晶表示板２５の内面側にはタッチパネル２６が取り付けられている。また、インサート板金２８の外面側面２８２には、種々の電子部品を実装した回路基板３１が取り付けられている。
【００２６】
図６および図７に示すように、タッチパネル２６と、タッチパネル２６を駆動する回路基板３１とは、接続線であるフレキシブルプリント基板（Flexible Printed Circuits：以後，「ＦＰＣ」と示す）３２で接続される。
ＦＰＣ３２のタッチパネル２６側は、ガラス基板２６１の端部（端面２６１Ａ）に接続されており、上筐体２０の大型化を回避するために、接続部３２１は上筐体２０の側部２２のヒンジ部５０側の下辺側部２２２から外側へ突出している。この部分は、ヒンジ部５０との境界部分であり、ＦＰＣ３２のためにスペースを設けることなくスペースが確保できる。このため、ＦＰＣ３２は、防水領域である内部空間２４から、一旦非防水領域であるヒンジ部５０の空間に配策（折り返し部３２２）された後、再度上筐体２０の内部空間２４に引き込まれる。
【００２７】
上筐体２０の下辺側部２２２には、上筐体２０の内外を連通させる例えば矩形断面の挿通孔２２３が設けられており、ＦＰＣ３２は挿通孔２２３から内部空間２４に引き込まれる。このとき、内部空間２４の防水性を保持するため、挿通孔２２３にはグロメット３３が取り付けられる。
グロメット３３は、樹脂やゴム等の弾性部材で形成されており、矩形の挿通孔２２３の高さおよび幅よりも大きな厚さおよび幅を有し、挿通孔２２３に圧入されて止水する矩形断面の止水部３３１と、止水部３３１から外側に鍔状に突出して、グロメット３３の位置決めをする鍔部３３２と、鍔部３３２からヒンジ部５０側に突出するガイド部３３３を有する。グロメット３３の中心には、ＦＰＣ３２を挿通させるために扁平矩形状でＦＰＣ３２の断面より小さな断面の貫通穴３３４が、止水部３３１，鍔部３３２，およびガイド部３３３を貫通して形成されており、ＦＰＣ３２を圧入して貫通させる。
【００２８】
なお、ＦＰＣ３２が湾曲することにより、グロメット３３の貫通穴３３４を湾曲させて防水性を損なわないように、例えば金属製等の剛性の高い平板状の支持板３２３をＦＰＣ３２に添えて、貫通穴３３４を真っ直ぐに貫通させるようにしている。
【００２９】
図８乃至図１０に示すように、上筐体２０におけるヒンジ部５０側の角部には、樹脂やゴム等の柔軟な材料からなる緩衝部材６０が設けられている。緩衝部材６０は、上筐体２０のヒンジ部５０側端面および側面の角部を保護する緩衝部６１と、緩衝部材６０を上筐体２０に取り付ける取付部６２を有する。
緩衝部６１にはヒンジ部５０側に突出する突起６１１が設けられている。従って、緩衝部材６０がヒンジ部５０に当接する際には、緩衝部６１の突起６１１が最初に当接し、ヒンジ部５０および上筐体２０の傷つきを防止する。
【００３０】
また、取付部６２は、上筐体２０側に突出する天板６２１と、上筐体２０の厚み方向の縦壁６２２とを有し、断面Ｌ字形状を呈している。縦壁６２２の内面には、上筐体２０側に突出する複数個のリブ６２３，６２４をしており、上筐体２０に設けられている取付け凹部３５に嵌合して緩衝部材６０を上筐体２０に取り付ける。
【００３１】
すなわち、リブ６２３は、第２回動軸５２側における上筐体２０の厚み方向中央部から緩衝部材６０の取付方向に沿って設けられており、リブ６２３と、上筐体２０の取付け凹部３５に設けられているリブ３５１が嵌合する。また、緩衝部材６０の端部から上筐体２０側へ突出して設けられているリブ６２４が、取付け凹部３５の隙間３５２に嵌合する。
【００３２】
さらに、緩衝部材６０の凹部６３０（図１０参照）と上筐体２０のリブ６３１（図９参照）とが嵌合し、緩衝部材６０の爪６３２，６３３が上筐体２０の爪嵌合部６３４と嵌合する。これにより、緩衝部材６０は上筐体２０に取り付けられる。
なお、上筐体２０に対する緩衝部材６０の取付方向に沿って凹部６３０，リブ６３１，爪６３２，６３３および爪嵌合部６３４が設けられているので、凹部６３０，リブ６３１，爪６３２，６３３および爪嵌合部６３４は上筐体２０に対する緩衝部材６０の取り付け時の位置決めにも用いることができる。
【００３３】
また、天板６２１，縦壁６２２およびリブ６２３，６２４によって、ＦＰＣ３２の折り返し部３２２を、後述する折り返し軸線６４１，６４２の径方向から囲む包囲部６３が形成されている。
なお、天板６２１とリブ６２３との間の隙間６２５は、リブ３５１よりも広めに空けられている。これは、隙間６２５を狭くすると、隙間６２５もリブ３５１と嵌合してしまい、緩衝部材６０を押し込む際に大きな力が必要になるためである。
【００３４】
図６に示すように、ＦＰＣ３２の折り返し部３２２は、ＦＰＣ３２を配策した時には半円形状に屈曲している（図６中破線で表示）。そして、緩衝部材６０を下筐体４０に対してヒンジ部５０側から取り付けて（図６中矢印Ｃ方向）、折り返し部３２２を緩衝部材６０の包囲部６３に収容することにより、折り返し部３２２は緩衝部材６０の縦壁６２２により押圧される。
これにより、折り返し部３２２は、上筐体２０の幅方向に沿った線を折り返し軸線６４１，６４２（図９参照）として折り返されて、一部直線状になる。なお、緩衝部材６０の縦壁６２２は、必ずしも常時ＦＰＣ３２の折り返し部３２２を押圧するものでなくてもよい。
【００３５】
また、緩衝部材６０の包囲部６３には、グロメット３３のガイド部３３３が収容されており、包囲部６３を形成する天板６２１がグロメット３３の鍔部３３２の高さ位置に配置されている。これにより、グロメット３３が挿通孔２２３から脱落する際には、グロメット３３の鍔部３３２が天板６２１に当接するので、グロメット３３の脱落を防止する。
また、包囲部６３には、グロメット３３を貫通して取り付けられている支持板３２３も収容されており、支持板３２３の先端は緩衝部材６０の縦壁６２２の内面近傍まで伸びている。これにより、グロメット３３が挿通孔２２３から脱落する際には、支持板３２３の先端が緩衝部材６０に当接するので、支持板３２３を介して間接的にグロメット３３の脱落を防止する。
また、緩衝部材６０には、グロメット３３へ向かって突出するリブ６３５が設けられている。これにより、天板６２１に加えて、グロメット３３の脱落をより確実に防止することができる。
【００３６】
次に、ＦＰＣ３２の配策および緩衝部材６０の取付けについて説明する。
一端がタッチパネル２６のガラス基板２６１に接続されているＦＰＣ３２を、他端を先頭にしてグロメット３３の貫通穴３３４に挿入する。このとき、グロメット３３のガイド部３３３側から挿入し、支持板３２３も一緒に挿入する。次いで、ＦＰＣ３２の他端側から支持板３２３とともに、上筐体２０の側部２２の挿通孔２２３に挿入し（図４中矢印Ｄ照）、グロメット３３の止水部３３１を挿通孔２２３に圧入する。その後、ＦＰＣ３２の湾曲している折り返し部３２２を押しながら、ヒンジ部５０側から緩衝部材６０を上筐体２０の取付け凹部３５に押し込んで取り付ける。
この際、上筐体２０に対する緩衝部材６０の取付方向に沿って凹部６３０，リブ６３１，爪６３２，６３３および爪嵌合部６３４が設けられているので、凹部６３０，リブ６３１，爪６３２，６３３および爪嵌合部６３４は上筐体２０に対して緩衝部材６０が位置決めされる。
【００３７】
以上、説明した本発明に係る実施形態の携帯端末１０によれば、上筐体２０と下筐体４０は、上筐体２０の幅方向に沿って配置された第１回動軸５１と、上筐体２０に接続され且つ第１回動軸５１に対して直交する第２回動軸５２を有するヒンジ部５０により、開閉可能且つ回動可能に接続される。また、両端が上筐体２０内側に接続された接続線３２は、折り返し部３２２が上筐体２０の外部に配策される。
【００３８】
そして、上筐体２０におけるヒンジ部５０側の角部には緩衝部材６０が設けられており、緩衝部材６０はＦＰＣ３２の折り返し部３２２の少なくとも一部に接触可能となっているので、ＦＰＣ３２がグロメット３３から抜けることを抑止して所定位置に配策することができる。
従って、上筐体２０を、第２回動軸５２を中心として下筐体４０に対して回動させる際に、同じ緩衝部材６０により、上筐体２０の角部と下筐体４０の傷つきを防止するとともに、ＦＰＣ３２が抜けることを規制するので、部品点数を減少させることができる。
また、緩衝部材６０がヒンジ部５０に当接する際には、緩衝部６１の突起６１１が最初に当接するため、ヒンジ部５０および上筐体２０の傷つきが防止される。
【００３９】
また、ＦＰＣ３２は帯状をしており、その両端部は上筐体２０に固定されるが、途中、一旦上筐体２０の側部２２の外側に配策される。ＦＰＣ３２は、上筐体２０の外側において、上筐体２０の幅方向に沿った線を折り返し軸６４１，６４２として折り返し部３２２が形成され、緩衝部材６０の包囲部６３が折り返し軸６４１，６４２の径方向から折り返し部３２２を囲むので、ＦＰＣ３２の配策位置がずれるのを防止できる。
【００４０】
また、緩衝部材６０は、上筐体２０に対してヒンジ部５０側から取り付けられるので、緩衝部材６０は取付時にＦＰＣ３２をＦＰＣ３２の配策軸方向と平行に押すことになり、ＦＰＣ３２の配策位置がずれるのを防止できるとともに、接続線の挟み込みや傷つきを防止できる。
【００４１】
緩衝部材６０には、上筐体２０に向かって突出するリブ６２３、６２４および爪ｂ、ｃが設けられており、このリブ６２３、６２４および爪６３２，６３３が、第２回動軸５２側における上筐体２０の厚み方向中央部から緩衝部材６０の取付方向に沿って設けられているので、ＦＰＣ３２の配策位置をずらすことなく緩衝部材６０を位置決めして取り付けることができる。
【００４２】
緩衝部材６０には、上筐体２０のグロメット３３に向かって突出するリブ（天面６２１およびリブ６３５）が設けられている。これにより、グロメット３３の抜けを防止できる。これにより、グロメット３３の抜け防止をする部品を別途用意する必要がなくなる。したがって、別の部品を用意する場合よりもコストを抑えることができ、また、装置の寸法も小さくできる。
【００４３】
ヒンジ部５０における上筐体２０の幅方向端部から上筐体２０に向かう凸部５３，５４を有し、上筐体２０は凸部５３，５４に対応する凹部２２６，２２７を有するので、上筐体２０がヒンジ部５０に対してがたつくのを防止できる。すなわち、ヒンジ部５０の上筐体２０に対するがたつきを、少なくとも、上筐体２０の底面および側面の２方向から規制できる。なお、従来の電子機器は、凸部および凹部を有さない構造であったため、本実施形態の電子機器よりもがたつき易かった。
なお、がたつきを規制するためであれば、ヒンジ部５０と上筐体２０との凹凸を逆にしてもよい。
【００４４】
また、上筐体２０は、矩形枠状の側部２２、側部２２の一端側の平坦部２２８に設けられた底部２３、側部２２の他端側の平坦部２２１に設けられたタッチパネル２６により密閉箱状に形成されており、内部空間２４に収容された回路基板３１と、内部空間２４の外側のタッチパネル２６のガラス基板２６１とをＦＰＣ３２により接続する。
ガラス基板２６１の端面２６１Ａは上筐体２０よりも外側に位置しており、ガラス基板２６１の端面２６１Ａから引き出されたＦＰＣ３２は上筐体２０の外側を通り、上筐体２０の内外を連通する挿通孔２２３を通って上筐体２０内の回路基板３１と接続される。このとき、ＦＰＣ３２に設けられたグロメット３３が挿通孔２２３に圧入・嵌合するため、ＦＰＣ３２が上筐体２０の外部から内部に配索されていても確実な防水性が得られる。
【００４５】
また、上筐体２０のヒンジ部５０側は、ヒンジ部５０を上筐体２０に取り付けるためのネジに対する逃げ部等のデッドスペースがあるため、矩形状の回路基板３１が逃げ部に干渉しない位置に配置される。逃げ部自体は小さなスペースだが、矩形状の回路基板３１が後退した位置に配置されるため、結果的にデッドスペースが生じている。この箇所にＦＰＣ３２の折り返し部３２２を配置するので、新たなスペースを必要とせず、上筐体２０の大型化、厚型化を回避できる。
【００４６】
さらに、ガラス基板２６１におけるＦＰＣ３２が引き出された側とは反対側に側部２２の他端側を覆うレシーバカバー３４１が設けられているので、ガラス基板２６１にレシーバ３４用の孔を設ける必要がない。
【００４７】
なお、本発明の電子機器は、前述した実施形態に限定されるものでなく、適宜な変形，改良等が可能である。
前述した実施形態では、ＦＰＣ３２は、上筐体２０の外側に位置していたが、本発明のＦＰＣはこれに限らず、上筐体２０の内側に位置されていてもよい。
また、前述した実施形態では、緩衝部材６０は断面Ｌ字状の形状を有していたが、本発明の緩衝部材はこれに限らず、上筐体のデザイン等に応じて多様な形状を取ることができる。
【符号の説明】
【００４８】
１０  携帯端末（電子機器）
２０  上筐体（第１筐体）
２２  側部
２２６，２２７  凹部
３２  ＦＰＣ（接続線）
３２２  折り返し部
４０  下筐体（第２筐体）
５０  ヒンジ部
５１  第１回動軸
５２  第２回動軸
５３，５４  凸部
６０  緩衝部材
６２４  リブ
６３  包囲部
６４１，６４２  折り返し軸線
【図１】
2011259080.tif 000003
【図２】
2011259080.tif 000004
【図３】
2011259080.tif 000005
【図４】
2011259080.tif 000006
【図５】
2011259080.tif 000007
【図６】
2011259080.tif 000008
【図７】
2011259080.tif 000009
【図８】
2011259080.tif 000010
【図９】
2011259080.tif 000011
【図１０】
2011259080.tif 000012